【手続補正書】
【提出日】平成16年8月26日(2004.8.26)
【手続補正１】
【補正対象書類名】明細書
【補正対象項目名】請求項１５
【補正方法】変更
【補正の内容】
【請求項１５】
請求項１に記載の撮像装置において、該装置は、前記記憶手段に記憶される複数コマの画像信号との相関を検出するための二値画像を表す二値画像データを生成する二値画像手段を含み、
前記制御手段は、前記記憶手段に記憶された複数画像のそれぞれと、前記二値画像手段からの二値画像との相関を検出し、
前記選択手段は、前記制御手段にて検出した高相関のコマの画像データを選択可能とすることを特徴とする撮像装置。
【手続補正２】
【補正対象書類名】明細書
【補正対象項目名】請求項２５
【補正方法】変更
【補正の内容】
【請求項２５】
請求項２０に記載の撮像装置において、該装置は、前記記録手段に記録された画像信号の表す画像を表示する表示手段を含み、
前記制御手段は、前記選択手段にて選択されるコマの画像を、選択されていないコマの画像と区別して表示させることを特徴とする撮像装置。
【手続補正３】
【補正対象書類名】明細書
【補正対象項目名】請求項２６
【補正方法】変更
【補正の内容】
【請求項２６】
請求項２５に記載の撮像装置において、前記制御手段は、前記記録手段に記録された複数コマの画像を前記表示手段に配列して表示させることを特徴とする撮像装置。
【手続補正４】
【補正対象書類名】明細書
【補正対象項目名】請求項２９
【補正方法】変更
【補正の内容】
【請求項２９】
請求項２７に記載の撮像装置において、前記スイッチ手段は、該撮像装置を構えた状態を検出して前記第１の操作情報を生成する検出手段を含むことを特徴とする撮像装置。
【手続補正５】
【補正対象書類名】明細書
【補正対象項目名】請求項３３
【補正方法】変更
【補正の内容】
【請求項３３】
請求項２０に記載の撮像装置において、該装置は、前記記録手段に記録される複数コマの画像信号との相関を検出するための二値画像を表す二値画像データを生成する二値画像手段を含み、
前記制御手段は、前記記録手段に記録された複数画像のそれぞれと、前記二値画像手段からの二値画像との相関を検出し、
前記選択手段は、前記制御手段にて検出した高相関のコマの画像データを選択可能とすることを特徴とする撮像装置。
【手続補正６】
【補正対象書類名】明細書
【補正対象項目名】請求項３７
【補正方法】変更
【補正の内容】
【請求項３７】
請求項３３ないし３６のいずれかに記載の撮像装置において、前記制御手段は、各撮像間隔にて前記露出を無補正にて撮像して前記記録手段に記録された画像データをそれぞれ二値化して、該二値化された複数コマの画像データと、前記二値画像データとの相関を検出することを特徴とする撮像装置。
【手続補正７】
【補正対象書類名】明細書
【補正対象項目名】００１２
【補正方法】変更
【補正の内容】
【００１２】
このように本実施例のカメラ10は、連写モードでは、モード切替ダイヤル20によるモード設定と、レリーズ釦22の半押し状態および全押し状態とに応じて、複数コマの画像を撮像してメインメモリ24に格納し、それら複数の撮像タイミングによる撮像画像データを液晶表示パネル(LCD) 26にモニタ表示させ、希望するコマの画像データを、前選択スイッチ28、後選択スイッチ30および決定／保存スイッチ32に対する操作に応じて選択し、選択したコマの画像データを外部メモリ16に記憶させる。なお、動作モード設定ダイヤルにより、１コマ撮影モードが設定されている場合には、カメラ10は、レリーズ釦22への全押し操作に応動して１画像の撮像処理を行い、撮像データを外部メモリ16へ記録する。
【手続補正８】
【補正対象書類名】明細書
【補正対象項目名】００３６
【補正方法】変更
【補正の内容】
【００３６】
以上のような構成で本実施例におけるディジタルカメラ10の動作を図４〜図９を参照して説明する。動作モード設定により撮影モードが設定されていると、図４のステップ400 において、連写モードが設定されているか否かが制御部38にて判定されて、連写モードである場合にはステップ402 に進み、連写モードではない場合にはステップ403 に進んで１コマ撮影モードへ移行する。ステップ402 では、モード切替ダイヤル20による現在の設定が「前」、「前／後」および「後」のいずれの設定であるかが制御部38にて確認される。
【手続補正９】
【補正対象書類名】明細書
【補正対象項目名】００７５
【補正方法】変更
【補正の内容】
【００７５】
以上のような構成で、本実施例におけるディジタルカメラ70の動作を図15〜図17を参照して説明する。以下の説明では、モード切替ダイヤル20が「前／後」に設定されている場合について説明する。本カメラ70の基本動作は、図４に示した動作フローと同様の動作でよく、そのステップ414 における動作では、図15に示すように、ステップ1500において、制御部74は、タイマ58から出力されるタイミング信号の割込受付を有効化する。
【手続補正１０】
【補正対象書類名】明細書
【補正対象項目名】００７８
【補正方法】変更
【補正の内容】
【００７８】
ステップ1616に進むと、セットされた-4ΔEVにて撮像が行われて、処理された画像データはメインメモリ24に格納される。続くステップ1618では、露出レベルレジスタの保持値にΔEV分の値を加算した値がセットされる。次いでステップ1620に進むと、露出レベルレジスタの保持値が+4ΔEVを超えたか否かが判定されて、超えている場合にはステップ1622に進み、逆に、超えていない場合にはステップ1616に戻って、以降、現在の保持値に応じた露出値にて、タイミング信号に応動した撮像および画像データの格納処理が行われる。
【手続補正１１】
【補正対象書類名】明細書
【補正対象項目名】００７９
【補正方法】変更
【補正の内容】
【００７９】
ステップ1622に進むと、レリーズスイッチS2がオンされたか否かが判定され、そのオン状態が検出されると図15に示した次のステップ1504に進む。また、レリーズスイッチS2のオン状態がまだ検出されなかった場合には、ステップ1602に戻って、以降の処理が繰り返される。このようにして、レリーズスイッチS2のオン状態が検出されるまで、撮像制御により得られた最近81コマ分の画像データがメインメモリ24に格納され、このとき撮像時刻の古い画像データから順に削除されて、メインメモリ24に格納されている画像データが巡回的に更新される。
【手続補正１２】
【補正対象書類名】明細書
【補正対象項目名】００８３
【補正方法】変更
【補正の内容】
【００８３】
レジスタｉの保持値が値５となるとステップ1512に進んで、割込受付が無効化されて、撮像処理およびメインメモリ24に対する画像データの格納処理が終了する。続くステップ1514では、メインメモリ24に格納されたタイミングt=-4〜+4の画像データが読み出される。このとき、本実施例では測光値に応じた露出値、つまり+/-0EVの無補正で撮像された各撮像タイミングΔｔの画像データをディジタル信号処理部44にて表示データ化する。処理された後LCD 駆動部56に供給される。こうして、液晶表示パネル26には、各撮像タイミングにて撮像されたレリーズスイッチS2がオンされる前の４コマの画像と、オン直後からの５コマの撮像画像がマルチ画面上に表示される。ステップ1516において、この画像表示に応じて所望の撮像タイミングが選択および決定されると、ステップ1518に進み、今度は、その撮像タイミングΔｔに関連して段階撮影されたコマの画像データがメインメモリ24から読み出される。
【手続補正１３】
【補正対象書類名】明細書
【補正対象項目名】図面の簡単な説明
【補正方法】変更
【補正の内容】
【図面の簡単な説明】
【図１】
本発明が適用されたディジタルカメラの一実施例を示す外観図である。
【図２】
図１に示した実施例におけるディジタルカメラの構成例を示すブロック図である。
【図３】
連写モードにおける撮影間隔Δｔを規定するタイミング信号の一例を示す図である。
【図４】
ディジタルカメラの基本的な動作を示すフローチャートである。
【図５】
図４に示したステップ414 において、モード切替ダイヤルが「前」設定の場合の動作を示すフローチャートである。
【図６】
割込処理ａの動作を示すフローチャートである。
【図７】
図４に示したステップ414 において、モード切替ダイヤルが「前／後」設定の場合の動作を示すフローチャートである。
【図８】
割込処理ｂの動作を示すフローチャートである。
【図９】
図４に示したステップ414 において、モード切替ダイヤルが「後」設定の場合の動作を示すフローチャートである。
【図１０】
図４に示したステップ414 において、モード切替ダイヤルが「前／後」設定の場合に、画像データを外部メモリに対し更新記録し、不要画像を消去する実施例における動作を示すフローチャートである。
【図１１】
図10に示した実施例における割込処理ａの動作を示すフローチャートである。
【図１２】
図10に示した実施例における割込処理ｂの動作を示すフローチャートである。
【図１３】
本発明が適用されたディジタルカメラの他の一実施例を示す外観図である。
【図１４】
図13に示した実施例におけるディジタルカメラの構成例を示すブロック図である。
【図１５】
図13に示した実施例のステップ414 において、モード切替ダイヤルが「前／後」設定の詳細動作を示すフローチャートである。
【図１６】
図15に示す割込処理ａの動作を示すフローチャートである。
【図１７】
図15に示す割込処理ｂの動作を示すフローチャートである。
【図１８】
本発明が適用されたディジタルカメラのさらに他の一実施例を示す外観図である。
【図１９】
図18に示した実施例におけるディジタルカメラの構成例を示すブロック図である。
【図２０】
撮像画面に対する領域設定を示す図である。
【図２１】
図18に示した実施例におけるディジタルカメラの動作を示すフローチャートである。
【図２２】
図21に示したステップ2102における詳細動作を示すフローチャートである。
【符号の説明】
10  ディジタルカメラ
16  外部メモリ
20  モード切替ダイヤル
22  レリーズ釦
24  メインメモリ
【手続補正１４】
【補正対象書類名】図面
【補正対象項目名】図４
【補正方法】変更
【補正の内容】
【図４】
2001086395.tif 000001
【手続補正１５】
【補正対象書類名】図面
【補正対象項目名】図６
【補正方法】変更
【補正の内容】
【図６】
2001086395.tif 000002
【手続補正１６】
【補正対象書類名】図面
【補正対象項目名】図８
【補正方法】変更
【補正の内容】
【図８】
2001086395.tif 000003
【手続補正１７】
【補正対象書類名】図面
【補正対象項目名】図１２
【補正方法】変更
【補正の内容】
【図１２】
2001086395.tif 000004
【手続補正１８】
【補正対象書類名】図面
【補正対象項目名】図２１
【補正方法】変更
【補正の内容】
【図２１】
2001086395.tif 000005